(57)【特許請求の範囲】
【請求項１】
先端側に螺旋状掘削刃を有する棒状の地中アンカを地中に埋設するときに用いられる工具であって、
全体形状が棒状体を呈し、その棒状体の一端側に前記地中アンカの後端部に設けられている角柱部に着脱自在に嵌合する嵌合部を、その棒状体の他端側に回転機械に着脱自在に装着される装着部をそれぞれ有し、
前記棒状体の内部には、前記地中アンカの角柱部に取付けた支線棒を収納できる空間が形成されているとともに、その空間に収納された支線棒の先端部に設けられているリングをその棒状体に分離可能に連結する連結機構が設けてあり、
前記連結機構は、前記空間に収納された支線棒のリングを挿入して位置を固定する溝と、前記棒状体に設けられ、その棒状体を前記溝において貫通する貫通孔と、その貫通孔に挿通され、かつ、前記支線棒のリングに挿通されて前記棒状体に着脱自在に固定されるボルトとからなることを特徴とする地中アンカ埋設用工具。
【発明の詳細な説明】
【０００１】
【発明の属する技術分野】
本発明は、電柱の支線あるいは建築構造物等の所定の構造物を地中において支持する地中アンカを埋設するときに用いられる工具に関する。
【０００２】
【従来の技術】
本出願人は、先に、特願平１０−１６６７５７号等において、先端側に螺旋状掘削刃を有する棒状の地中アンカを提案しているとともに、その地中アンカを埋設するときに用いられる地中アンカ埋設用工具を提案している。
本明細書において、地中アンカもしくは地中アンカ本体の先端とは、地中アンカもしくは地中アンカ本体の埋設時地中進入方向の先端をいい、地中アンカもしくは地中アンカ本体の後端とは、地中アンカもしくは地中アンカ本体の埋設時地中進入方向の後端をいう。
【０００３】
上記提案に係る地中アンカは、地中アンカの先端側に設けられた螺旋状掘削刃の地中に進入する側及び外周が尖鋭に形成されており、また、その地中アンカの先端部に切込刃からなるドリル部が形成されているので、地盤が堅くとも容易に掘削して埋設できる等の特長を有している。
【０００４】
また、上記提案に係る地中アンカ埋設用工具は、地中アンカ本体に予め支線棒を装着した状態で埋設できるようにし、施工の簡易化を図ることができる等の特長を有している。
【０００５】
【発明が解決しようとする課題】
しかしながら、上記提案に係る地中アンカ埋設用工具は、地中アンカを地面側に押圧しながら回転できる機能を有しているが、地中アンカを地面側から引上げる方向に力を作用させることができないという不便があった。
【０００６】
したがって、例えば、地中アンカの頭部（後端部）が地面下であっても、その先端部が岩石等に衝突して規定どおりの深さに埋設できないときは、その地中アンカを放置し、他の場所に新たな地中アンカを埋設しなければならなかった。
【０００７】
そこで、本発明は、上記欠点を解決するためになされたものであって、その目的は、埋設された地中アンカを引抜くこともできる地中アンカ埋設用工具を提供することにある。
【０００８】
【課題を解決するための手段】
本発明は、上記目的を達成するために、先端側に螺旋状掘削刃を有する棒状の地中アンカを地中に埋設するときに用いられる地中アンカ埋設用工具であって、全体形状が棒状体を呈し、その棒状体の一端側に前記地中アンカの後端部に設けられている角柱部に着脱自在に嵌合する嵌合部を、その棒状体の他端側に回転機械に着脱自在に装着される装着部をそれぞれ有し、前記棒状体の内部には、前記地中アンカの角柱部に取付けた支線棒を収納できる空間が形成されているとともに、その空間に収納された支線棒の先端部に設けられているリングをその棒状体に分離可能に連結する連結機構が設けてあり、前記連結機構は、前記空間に収納された支線棒のリングを挿入して位置を固定する溝と、前記棒状体に設けられ、その棒状体を前記溝において貫通する貫通孔と、その貫通孔に挿通され、かつ、前記支線棒のリングに挿通されて前記棒状体に着脱自在に固定されるボルトとからなることを特徴としている。
【０００９】
【発明の実施の形態】
以下、本発明の実施の形態を図面に基づいて説明する。先ず、本発明に係る地中アンカ埋設用工具を説明する前に、その地中アンカ埋設用工具によって埋設され又は引抜かれる地中アンカについて説明する。図１（ａ）は、その地中アンカの正面図、同図（ｂ）は、その上面図である。
【００１０】
地中アンカＡは、全体形状が棒状を呈する地中アンカ本体１を有する。地中アンカ本体１は、先端側（図１（ａ）では下端部側）には、複数個（図示の例では４個）の螺旋状掘削刃２ａ〜２ｄが間欠的に一体的に設けられている。これら螺旋状掘削刃２ａ〜２ｄは、後端側にあるものほど、先端側にあるものよりも、大きい径を有する。すなわち、螺旋状掘削刃２ａよりも２ｂ、また、２ｂよりも２ｃの方が径が大きい。これら螺旋状掘削刃２ａ〜２ｄの地中に進入する側及び外周は、尖鋭に形成されている。また、地中アンカ本体１の先端部は、周知のドリルと同様に、切込刃３を有するドリル部に形成されている。
【００１１】
地中アンカ本体１の後端側には、地中アンカ本体１の径よりも少し大きな径を有するつば部４が設けられているとともに、そのつば部４に続く後端部に、四角柱からなる角柱部５が形成されていて、後述する回転機械に嵌合して、地中アンカＡをその回転機械で回動できるように構成されている。図１（ａ）中、５ａは、角柱部５に設けられた、後述する支線棒ｂを取付けるための孔である。
【００１２】
地中アンカ本体１は、図１（ａ）に示されるように、その長手方向中央部分が膨らんだ紡錘形に形成されている。このように、地中アンカ本体１を紡錘形に形成すると、地中アンカ本体１の強度が高まる。
【００１３】
図１（ａ）中、６は、補助螺旋状掘削刃であって、上記各螺旋状掘削刃２ａ〜２ｄと同様に、地中アンカ本体１と一体的に形成されていて、つば部４と螺旋状掘削刃２ｄとのほぼ中間に、かつ、そのつば部４及び螺旋状掘削刃２ｄの直径よりも少し大きい直径に形成されている。この補助螺旋状掘削刃６も、上記各螺旋状掘削刃２ａ〜２ｄと同様に、地中に進入する側及び外周が尖鋭に形成されている。
【００１４】
上記構成の地中アンカＡは、回転機械で回転されて地中に埋設される際、つば部４の下方がつば部４の直径よりも少し大きい直径の補助螺旋状掘削刃６で掘削されるので、つば部４の進入抵抗が小さくなり、地中アンカＡを地中深くまで容易に埋設することが可能となる。
【００１５】
加えて、つば部４と補助螺旋状掘削刃６との間には、地中アンカ本体１の先端側に設けられている螺旋状掘削刃２ａ〜２ｄの囲りに形成されると同様の圧縮固結塊が形成されるので、地中アンカの支持力を高めることができる。
【００１６】
図２は、上記構成の地中アンカＡを穴掘建柱車に設けられている回転機械であるオーガａで埋設するときに用いられる地中アンカ埋設用工具（以下、「工具」という。）１０の使用状態を示す分解斜視図である。
【００１７】
工具１０は、１本の棒状体１１からなり、その一端側（図２の例では下端側）には、地中アンカＡの角柱部５が着脱自在に嵌合される、本発明の嵌合部に当たる角穴１２が設けられているとともに、その他端側（図２では上端側）は、オーガａに設けられている角柱状の挿入口ａ′に挿入される角柱の装着部１３に形成されている。そして、その棒状体１１の内部は、角穴１２に開口した後述する支線棒ｂを収納するのに十分な容積を有する空間１４が設けられている。
【００１８】
図２中、ｂは、地中アンカＡの角柱部５に設けられた穴５ａに取付けられている支線棒であり、下部に設けられているリングｂ′を介して穴５ａに接続され、また、その支線棒ｂの上部に設けられているリングｂ″は、支線棒ｂが棒状体１１の空間１４内に挿入されたとき、棒状体１１の空間１４の天井部分に設けられている溝１４ａに嵌ってその位置に固定されるように構成されている。
【００１９】
図２中、１５は、溝１４ａを貫通するように棒状体１１に設けられた貫通孔である。したがって、溝１４ａに支線棒ｂのリングｂ″が挿入されている状態で、貫通孔１５にボルトＢが挿入され、そのボルトＢにナットＮが螺合されると、支線棒ｂを工具１０に分離可能に連結することができる。これら貫通孔１５、ボルトＢ及びナットＮが本発明の連結機構を担っている。
【００２０】
上記構成の工具１０を用いて地中アンカＡを地中に埋設するには、先ず、工具１０の装着部１３がオーガａの挿入口ａ′に挿入される。そして、脱落防止のために、オーガａの先端に設けられている貫通孔ａ″及び装着部１３に設けられている貫通孔１３ａにボルトＢ′が挿入されてナットＮ′で固定される。
【００２１】
次いで、工具１０の棒状体１１の空間１４に支線棒ｂが挿入され、角穴１２に地中アンカＡの角柱部５が嵌合される。そして、棒状体１１の貫通孔１５にボルトＢが挿入されるとともに、そのボルトＢにナットＮが螺合され、これにより、支線棒ｂと工具１０とが連結状態に保たれる。
【００２２】
オーガａを押圧状態を保ちながら回転させると、地中アンカＡは、螺旋状掘削刃２ａ〜２ｄ及び補助螺旋状掘削刃６の作用により地中に進入し埋設される。そして、地中アンカ本体１が所定深さに埋設された後、ナットＮを外してボルトＢを工具１０の棒状体１１から抜いてオーガａを上方へ移動させると、工具１０は地中アンカＡから外れて、地中アンカＡ及び支線棒ｂは、地中に埋設された状態に保たれる。その後、支線棒ｂには、図示しないワイヤが取付けられて電柱等が支持される。
【００２３】
ところで、一旦、埋設された地中アンカＡが何らかの理由で引抜く必要が生じたときは、ボルトＢを外すことなくオーガａを逆回転させながら引抜くと、地中アンカＡも地面から引抜かれる。したがって、今までのように、地中アンカＡを地面に放置する必要がなくなるとともに、その引抜いた地中アンカＡを再使用することができる。
【００２４】
【発明の効果】
本発明によれば、工具は、工具の空間に収納された支線棒のリングを挿入して位置を固定する溝と、前記棒状体に設けられ、その棒状体を前記溝において貫通する貫通孔と、その貫通孔に挿通され、かつ、前記支線棒のリングに挿通されて前記棒状体に着脱自在に固定されるボルトとからなる連結機構を有するので、地中アンカを簡単に埋設することができるとともに、簡単に引抜くこともできる。そして、支線棒のリングを溝に挿入することで、リングが正しい位置にセットされるため、ボルトのリングへの貫通が迅速確実にできるので、支線棒と工具との連結を能率的に行なうことができる。また、地中アンカを引き抜く時、ボルトにかかる力が貫通孔の軸受面に分散されるため、ボルトにかかる剪断力が低減する。
【図面の簡単な説明】
【図１】  （ａ）は、本発明の工具で埋設される地中アンカの正面図、（ｂ）は、その上面図である。
【図２】  本発明の一実施の形態に係る地中アンカ埋設用工具を用いて地中アンカを埋設するときの分解斜視図である。
【符号の説明】
Ａ  地中アンカ
１  地中アンカ本体
２ａ〜２ｄ  螺旋状掘削刃
３  切込刃（ドリル部）
４  つば部
５  角柱部
６  補助螺旋状掘削刃
１０  工具（地中アンカ埋設用工具）
１１  棒状体
１２  角穴
１３  装着部
１４ａ、１５、Ｂ、Ｎ  連結構造
１４ａ  溝
１５  貫通孔
Ｂ  ボルト
Ｎ  ナット
ａ  オーガ（回転機械）
ｂ  支線棒
ｂ′，ｂ″  リング
【図１】
0004227279.tif 000002
【図２】
0004227279.tif 000003